(57)【要約】【課題】      自動車の型式毎に、その自動車のエアコンに消臭乃至芳香剤を自動車の個人オーナーが自分で据付け出来る手段を開発すること。  【解決手段】  各自動車の型式毎に、その自動車のエアコン毎に対応する消臭乃至芳香剤施工マニアルを予め作成して、これをコンピューターに登録しておき、自動車の個人オーナーに自己の有する自動車に対応する施工マニアルを、コンピューターを介して入手せしめ、次いでこのマニアルに基づいて消臭乃至芳香剤を上記自動車のエアコンに据付けさせること。【選択図】図１
2008195364.tif 000002
【特許請求の範囲】
【請求項１】
各自動車の型式毎に、その自動車のエアコンに対応する消臭乃至芳香剤施工マニアルを予め作成して、これをコンピューターに登録しておき、自動車のオーナーに自己の有する自動車に対応する施工マニアルを、コンピューターを介して入手せしめ、次いで該施工マニアルに基づいて消臭乃至芳香剤を該エアコンに据付けさせることを特徴とする消臭乃至芳香剤の施工方法。    
【請求項２】
上記自動車のオーナーは消臭乃至芳香剤業者の有するコンピューター上のホームページを開き、そのトップページより、カーライフをクリックし、現出した画面上の消臭乃至芳香剤（たとえば消臭ミサイルという名の商品）の下にある施工マニアルをクリックし、次いで予め業者から提供されたパスワードを入力して、自動車一覧表へ進み、自己の有する自動車のメーカー及び型式をクリックして、施工マニアルを入手する請求項１に記載の施工方法。
【発明の詳細な説明】
【技術分野】
【０００１】
本発明は、自動車の車内に消臭乃至抗菌剤を散布するための施工方法に関し、更に詳しくはコンピューター就中パソコンを利用して、各自動車毎に適応した施工方法に関する。
【背景技術】
【０００２】
近年健康に対し、強い感心が高まっており、たとえば空気清浄機、除菌、消
臭、マイナスイオン発生等の作用を有するエアコンなどが人気商品となってい
る。また住宅業界に於いてもシックハウス対策等が盛んとなり、広く人間の生
活を取りまく環境の改善が要求される様になっている。
【０００３】
この傾向は自動車業界にもおよび、自動車の車内空間に於いても、シックカ
ー症候群の改善が注目され、たとえば自動車に於いても、ホルムアルデヒド
やトルエン等の化学物質、カビやダニ等の死骸等、アレルギーの原因となる有
害物質を除去することが強く要求されるようになって来た。
【０００４】
一方このような生活環境を改善する物質として、森林から生ずる植物の作用
たとえばフィトンチッド系化合物が見出され、実際に実用化されている。
【０００５】
而して、自動車の車内空間の改善手段が最近強く要望されるようになり、消
臭剤や芳香剤を自動車の車内に撒布することが実用化されている。この消臭剤や芳香剤の車内への撒布は、その大半が消臭剤や芳香剤を小さな容器に入れ、これを車内に載置するものであった。しかし乍ら、この手段では小さな容器であるため、短期間で内容物の消臭剤や芳香剤が揮散してなくなり、その都度新しいものを車内に載置する必要があって煩雑であり、しかも自動車の走行時のショック等により容器が転がり落ちる難点もあった。
【０００６】
一方本発明者は、植物系成分からなる新しい排煙乃至排ガス処理剤を開発し、
すでに特許（特許第３６３２０４８号）を取得した。そしてこの新しい消臭乃
至芳香処理剤をバス車輌や電車車輌等の公共車輌の空調設備に取り付け、好
効果を発揮している。
【０００７】
本発明者は、自動車好ましくは個人向けの自動車に、消臭剤や芳香剤特に好ましくは上記本発明者がすでに開発した特許に係る消臭剤や芳香剤を、自動車のエアコンを介して、車内空間の環境改善を行なおうという全く新しい着想に到達し、この新しい着想を実現するための研究を開始した。
【発明の開示】
【発明が解決しようとする課題】
【０００８】
従って本発明が解決しようとする課題は、自動車毎に設置されているエアコンを用いて、消臭乃至芳香剤を車内に導入撒布しうる手段を開発することである。そして特に各自動車メーカーや、自動車整備工場に於いて、エアコンへの取付けを依頼しなくても、自動車の各所有者である個人オーナーが、自分で簡単にエアコンに消臭乃至芳香剤を据付け、施工出来る方法を開発することである。
【課題を解決するための手段】
【０００９】
この課題は、各自動車の型式毎に対応する施工マニアルを予め作成して、これをコンピューター（パソコン）のポームページに登録し、各自動車の個人オーナーが上記ホームページを介して、その施工マニアルを入手して、そのマニアル通りに消臭乃至芳香剤をエアコンに取り付ける作業を行うことによって解決される。
【００１０】
本発明の施工方法を更に説明すると、次の様な手段によりなっている。
【００１１】
（イ）各自動車のエアコンはその自動車のメーカー及び型式（種類）によって異なるの      で、その型式毎に、消臭乃至芳香剤の据付け手順が異なって来る。このため各自動      車の型式に対応した消臭乃至芳香剤の据付けを説明した施工マニアルを、予め作成      する。このマニアルの一例を示せば図１の如くである。なお図１中消臭ミサイル        は、噴射式の消臭乃至芳香剤の市販品の商品名である。
【００１２】
（ロ）この施工マニアルをコンピューター（パソコン）のホームページに登録する。こ      の登録は消臭乃至芳香剤を取り扱う特定の業者が行う。
【００１３】
（ハ）施工者たる自動車の個人オーナーは、次の手順に従って、パソコンに登録された      施工マニアルを入手する。
【００１４】
（Ａ）上記ポームページのトップ（TOP）ページからカーライフをクリックする。
【００１５】
（Ｂ）消臭乃至芳香剤（図１では消臭ミサイルと表示）下にある施工
マニアルをクリックする。  
【００１６】
（Ｃ）予め配布されたパスワードを入力する。
【００１７】
（Ｄ）自動車メーカー毎の自動車形式一覧表に進む。
【００１８】
（Ｅ）自己の所有する自動車の形式を一覧表より選んでクリックして、施工マニア          ルを入手する。
【００１９】
（ニ）自動車オーナーは、このマニアルに従って、自己の自動車のエアコンに消臭乃至      芳香剤の据付けを行う。
【発明の効果】
【００２０】
各自動車の個人オーナーは、自己の所有する型式の自動車に対応した施工マニアルをコンピューター（パソコン）より簡単に入手出来、しかもその施工マニュアルにより、自動車の高度の知識を有しない通常の人でも容易にしかも簡単な手順で消臭乃至芳香剤を施工（セット）出来る。
【発明を実施するための最良の形態】
【００２１】
本発明に於いて使用される消臭乃至芳香剤としては、原則として噴射型（スプレー式）の容器に充填されたタイプのものを使用する。噴射型（スプレー式）のものであれば広く各種の型式やタイプのものが使用出来る。この際充填される消臭乃至芳香成分としては、広く各種の消臭成分や芳香成分が広い範囲で使用出来るが、好ましくは天然物が良く、特に植物系の各成分が好ましい。なかでも森林浴と称されるフィトンチット系成分が好ましく、最も好ましいのは上記特許第３６３２０４８号の成分が好ましい。これ等消臭乃至芳香剤のその代表例として消臭ミサイルという名のものが例示出来る。
【００２２】
この消臭乃至芳香剤を自動車用エアコンに据付けするが、この際の据付けに際しては、自動車の型式によって、個々に設置する施工方法が異なる。そこで、各自動車メーカーの各型式が明記された一覧表が必要となる。この一覧表は自動車メーカー毎に、その型式が記載されているものであり、特にその記載の仕方等は限定されない。この一覧表の一例を例示すれば、表１及び表２の通りである。
【００２３】
表１（トヨタ自動車のNO.１〜NO.３８）
【００２４】
【表１】
2008195364.tif 000003
表２（日産自動車のNO.１〜NO.２２）
【００２５】
【表２】
2008195364.tif 000004
但し、これ等表１及び表２に記載されている作業時間とは、通常消臭乃至芳香剤をエアコンに据付けするのに必要な標準的な時間を示す。
【００２６】
本発明に於いて予め作成される施工マニアルは、各自動車の型式一台一台に対応するマニアルであって、原則として、各メーカーの自動車の型式毎に作成する。
【００２７】
この施工マニアルは、その自動車の型式に適応した施工手段を判り易く、簡単に示したものであれば良く、通常の自動車の個人オーナーであれば、容易に理解出来る程度の操作手順を示すものである。この施工マニアルの図１以外の他の一例を示せば、図２の通りである。この図２を例にとって更に詳しく説明すると下記の通りである。
【００２８】
図２はトヨタ自動車製の「アルファード」という型式の自動車の例であり、図２の（イ）から順に（ロ）、（ハ）、（ニ）、（ホ）と進み、操作を終了する。この図では参考のために図２（へ）で、この自動車のエアコンの内部の説明図を示している。
【００２９】
図２の（イ）〜（ホ）の各々には、その操作が示されており、念のために示せば次の通りである。
【００３０】
（イ）：ダッシュボードを取りはずします。
【００３１】
（ロ）：ブロアー横に４色の配線が通っている部品がレジスターです。
【００３２】
（ハ）：レジスターを固定しているビス２本をドライバーで取り外します。
【００３３】
（ニ）：レジスターを取り外した後、右にブロアーからエバポレーターに続くダクトへの開口が見えます。
【００３４】
（ホ）：消臭ミサイルを開口部から１本全量の噴射をします。
【００３５】
（ヘ）：最終説明として、「レジスター、ダッシュボードを元通り取り付け、内気循環にし、エアコン（夏場はクーラーを、冬場はヒーター）を５分間強運転し、作業完了です。」との説明がある。
【００３６】
最後に更に念のため本発明の施工手続を順に説明する。
先ず上記各メーカーの自動車について、その型式のすべてが記載された一覧表をコンピューター（パソコン）のポームページに導入する。次いで、上記施工マニアルをやはり、上記ホームページに登録する。
【００３７】
個人オーナーたる施工者は、消臭乃至芳香剤業者の有するホームページを開き、そのトップ（ＴＯＰ）ページよりカーライフを選択してクリックする。次いで消臭ミサイルという記載の下にある施工マニアルをクリックする。次いで予め配布されたパスワードを入力し、メーカー一覧表を立ち上げる。そして自己の自動車の型式を選択してクリックし、対応の施工マニアルを画面上に現出させて、マニアルを入手する。このマニアルに従い、施工すれば良い。
【００３８】
〔実施例１〕
自動車（マツダ、ＲＸ−７）の個人オーナーに実際に消臭乃至芳香剤として消臭ミサイルという製品を用いて、これを施工してもらった例を示す。
【００３９】
先ずオーナーに、パソコンの消臭乃至芳香剤の製造販売業者のポームページを開いてそのトップ（ＴＯＰ）ページより、カーライフをクリックしてもらい、現出した画面の消臭ミサイルという表示の下にある、施工マニアルをクリックしてもらう。次いで予め提示されているパスワードを入力し、メーカー一覧表の画面を現出し、この一覧表からたとえば表３に示すマツダの一覧表を選び、ＲＸ−７をクリックすると、この車種に適応した施工マニアルが画面に出現する。このマニアルは図１に示すものである。かくして入手した施工マニアルに従って、オーナーに消臭ミサイルをエアコンに据付ける。
【００４０】
【表３】
2008195364.tif 000005
〔実施例２〕
上記マツダＲＸ−７のオーナーに代えて、三菱自動車製パジェロミニ（９５年）製のオーナーに実際に施工してもらった例を示す。
【００４１】
実施例１と同様に、自動車一覧表から表４に示す一覧表を選択し、且つ施工マニアル（図３に示す）をパソコンの画面上に現出せしめて、実施例１と同様に処理した。
【００４２】
【表４】
2008195364.tif 000006
【図面の簡単な説明】
【００４３】
【図１】図１は本発明に於いて使用する施工マニアルの一例を示す説明図である。
【図２】図２は本発明に於いて使用する他の施工マニアルの一例を示す説明図である。
【図３】図３は本発明に於いて使用する他の施工マニアルの一例を示す説明図である。
【図１】
2008195364.tif 000007
【図２】
2008195364.tif 000008
【図３】
2008195364.tif 000009